(57)【要約】【課題】装着性が良好で、荷重負荷時における人体への負担が少なく、しかも装着状態での作業性に優れたハーネス型安全帯を提供する。【解決手段】  上体側ベルト体１と下肢側ベルト体２で構成されたハーネス型安全帯において、下肢側ベルト体２を、環ベルト部２３と一端側が環ベルト部２３に固着された縦ベルト部２１で構成するとともに、環ベルト部２３をズボン体３の太腿部分３ｃの内面に固着する一方、縦ベルト部２１をズボン体３の太腿部分３ｃから腰部分３ａの内面に固着し且つその上端部に上体側ベルト体１を着脱可能に連結する。係る構成によれば、下肢側ベルト体２の装着状態においては、下肢側ベルト体２がズボン体３によって覆われ、これが外部に露出することがないことから、作業中に下肢側ベルト体２が周辺基材に引っ掛かって作業に支障をきたす事態が未然に回避できる。【選択図】図１
2018175800.tif 000002
【特許請求の範囲】
【請求項１】
人体の上体側に装着される上体側ベルト体と人体の下肢側に装着される左右一対の下肢側ベルト体を備えて構成され、且つ上記上体側ベルト体にランヤードが掛止されるハーネス型安全帯であって、
上記下肢側ベルト体は、ベルト材により所定径の環状に形成された環ベルト部と、所定長さのベルト材で形成され且つその一端側が上記環ベルト部に固着された縦ベルト部を備えるとともに、
上記環ベルト部をズボン体の太腿部分の内面に固着する一方、
上記縦ベルト部を上記ズボン体の太腿部分から腰部分の内面に固着し且つその上端部に上記上体側ベルト体を着脱可能に連結するように構成したことを特徴とするハーネス型安全帯。
【発明の詳細な説明】
【技術分野】
【０００１】  本願発明は、高所作業者が安全性確保のために装着するハーネス型安全帯に関するものである。
【背景技術】
【０００２】  ハーネス型安全帯としては、従来から種々の構造が提案されている。例えば、特許文献１には、一体式のハーネス型安全帯であって、人体の上体部分に装着されるベルト部分と両方の股付根部分に掛け回されるベルト部分を一体に形成したものが示されている。また、特許文献２には、人体の上体部分に装着されるベルト部分と下肢側に装着されるベルト部分を別体に構成し、必要に応じてこれら両ベルト部分を着脱するようにしたものが示されている。
【先行技術文献】
【特許文献】
【０００３】
【特許文献１】特開２０１４−２３３４６３号公報
【特許文献２】特開２００８−６６２５９号公報
【発明の概要】
【発明が解決しようとする課題】
【０００４】  ところが、特許文献１に示されるハーネス型安全帯においては、これが一体式であることから装着時には各部分の取り回し方の把握が難しく、また下肢側のベルト部材を両方の股付根部分にそれぞれ掛け回さなければならない等操作が煩雑であり、装着性という点において問題があった。【０００５】  また、下肢側においては、環状に形成されたベルト部材が股間部分に掛け回され後、斜め上方に引き出されるようになっていることから、例えば、人体が落下するなどして安全帯に体重が掛かった場合、その多くが上記ベルト部材を介して股間部分で支持されることから、作業者に過大な負担を与えることになり、作業者の負担軽減という観点からして好ましくない。【０００６】  さらに、安全帯を装着した状態においては、腰部から臀部の部分にベルト部材が露出状態で配置されることから、作業中にこの露出したベルト部分が周辺基材に引っ掛かって作業に支障を及ぼすことも懸念される。【０００７】  また、特許文献２に示されるハーネス型安全帯においては、人体の上体部分に装着されるベルト部分と下肢側に装着されるベルト部分を別体に構成しているので、装着時における各部分の形状の把握は容易であるものの、下肢側ベルトの装着に際しては、これをズボンの上側から両足の太腿部分にそれぞれ掛け回して装着しなければならず、装着作業が煩雑で装着に手間取るなど装着性に問題がある。【０００８】  また、この下肢側ベルト部分が、腰部から臀部の部分に露出状態で配置されることから、作業中にこの露出したベルト部分が周辺基材に引っ掛かって作業に支障を及ぼすことも懸念される。【０００９】  そこで本願発明は、装着性が良好で、稼働時における人体への負担が少なく、しかも装着状態での作業性に優れたハーネス型安全帯を提供することを目的としてなされたものである。
【課題を解決するための手段】
【００１０】  本願発明は、人体の上体側に装着される上体側ベルト体と人体の下肢側に装着される左右一対の下肢側ベルト体を備えて構成され、且つ上記上体側ベルト体にランヤードが掛止されるハーネス型安全帯において、上記下肢側ベルト体を、ベルト材により所定径の環状に形成された環ベルト部と、所定長さのベルト材で形成され且つその一端側が上記環ベルト部に固着された縦ベルト部で構成するとともに、上記環ベルト部をズボン体の太腿部分の内面に固着する一方、上記縦ベルト部を上記ズボン体の太腿部分から腰部分の内面に固着し且つその上端部に上記上体側ベルト体を着脱可能に連結するように構成したことを特徴としている。
【発明の効果】
【００１１】  本願発のハーネス型安全帯では、人体の上体側に装着される上体側ベルト体と人体の下肢側に装着される左右一対の下肢側ベルト体で構成しているので、該安全帯の装着に際してその取り回し方等の把握が容易であり、例えば、従来の一体式の安全帯のように取り回し方等の把握が難しい場合に比して、安全帯を適正且つ容易に装着することができる。【００１２】  また、上記下肢側ベルト体を構成する環ベルト部と縦ベルト部がズボン体の内面に固着されていることから、該下肢側ベルト体の装着に際しては、ベルト体を下肢側に巻き付けたりする必要はなく、単に上記ズボン体を下肢に履けばこれに伴って自動的に下肢側ベルト体が装着されることから、その装着作業が極めて簡単且つ容易であり、安全帯の装着性がより一層向上することになる。【００１３】  さらに、上記下肢側ベルト体は、人体の大腿部分に掛け回されており、安全帯に不測の荷重が掛かった場合にはその多くを大腿部分で支持することから、例えば、股間部分に掛け回されたベルト部材を介して股間部分で荷重を支持するような場合に比して、人体に対する負担が少なく、延いては使用上の安全性が向上する。【００１４】  また、実際の作業においては、安全帯を装着した状態で身体を移動させて作業を行うが、その場合、この安全帯が身体外面側に露出していると、これが周辺機器に引っ掛かって作業が阻害されることも懸念されるが、この発明の安全帯では上記下肢側ベルト体が上記ズボン体の内面側に固着され、該ズボン体によって覆われていることから、作業中において該下肢側ベルト体が周辺機器に引っ掛かることがなく、その分だけ、安全帯を装着した状態での作業における安全性が向上する。
【図面の簡単な説明】
【００１５】
【図１】  本願発明の実施形態に係るハーネス型安全帯の構成図である。
【図２】  図１に示した下肢側ベルト体の斜視図である。
【図３】  図１に示したハーネス型安全帯の装着状態の説明図である。
【図４】  下肢側ベルト体の他の構造例を示す斜視図である。
【発明を実施するための形態】
【００１６】  図１には、本願発明の実施形態に係るハーネス型安全帯Ｚを示している。この安全帯Ｚは、人体の上体側に装着される上体側ベルト体１と、下肢側に装着される下肢側ベルト体２とから成る分割式の安全帯であり、これら両者を同時に装着して使用する。以下、これら上体側ベルト体１と下肢側ベルト体２の構造を具体的に説明する。
【００１７】  Ａ：上体側ベルト体１
上記上体側ベルト体１は、上体に対して襷掛け状に装着（図３参照）されるもので、その基本構成は、２本の長尺のベルト材１０を、その中間位置において位置調整可能な連結具３１によって交差状に連結するとともに、一方のベルト材１０の一端側と他方のベルト材１０の一端側を、また、一方のベルト材１０の他端側と他方のベルト材１０の他端側を、それぞれ縫合固着（縫合固着部１５）して構成される。
【００１８】  そして、上記連結具３１から上側に延出して上記縫合固着部１５に至る部分のうち、上記連結具３１寄りの部分を人体の肩部に掛け回される肩ベルト部１１、上記縫合固着部１５寄りの部分を人体の胸部側に掛け回される胴ベルト部１３としている。また、上記連結具３１から下側に延出して上記縫合固着部１５に至る部分を人体の背部に掛け回される背ベルト部１２としている（図３参照）。
【００１９】  さらに、上記胴ベルト部１３の延長上で上記縫合固着部１５より先端側に位置する部分、及び上記背ベルト部１２の延長上で上記縫合固着部１５より先端側に位置する部分を、それぞれ連結ベルト部１６とするとともに、該連結ベルト部１６の先端には掛止部材１７を設けている。
【００２０】  なお、左右の上記肩ベルト部１１間には前ベルト部１４が、左右の上記背ベルト部１２間には拘引ベルト部１８が、さらに背側に位置する一対の連結ベルト部１６間には拘引ベルト部１９が、それぞれ設けられている。また、上記連結具３１には掛止リング３２が備えられ、該掛止リング３２にはランヤード（図示省略）が掛止される。
【００２１】  上記上体側ベルト体１は、図３に示すように、上記左右の肩ベルト部１１と背ベルト部１２及び胴ベルト部１３によって形成されるループ部分に左右の腕を通した状態で背中側に掛けられ、さらに上記前ベルト部１４が閉止されることで上体側に装着固定される。
【００２２】  Ｂ：下肢側ベルト体２
上記下肢側ベルト体２は、本願発明の要旨を成すものであって、左右の大腿部に対応すべく左右一対として用意される。以下、この一対の下肢側ベルト体２の構造を、一方の下肢側ベルト体２を例にとって具体的に説明する。
【００２３】  上記下肢側ベルト体２は、帯状のベルト材により所定径の環状に形成された二つの環ベルト部２２と、所定長さのベルト材で形成された直帯状の二本の縦ベルト部２１を備える。なお、上記環ベルト部２２の径寸法は、後述の如く該環ベルト部２２が固着されるズボン体３の大腿部３ｃの径寸法に対応して設定される。また、上記縦ベルト部２１の長さは、上記ズボン体３の大腿部３ｃから尻部３ｂを経て腰部３ａに至る経路長さより若干長めの寸法に設定される。
【００２４】  上記縦ベルト部２１と上記環ベルト部２２は、図１及び図２に示すように、二本の上記環ベルト部２２をその中心軸方向に所定寸法だけ離間対向させた状態で配置し、この二本の縦ベルト部２１に対して二本の上記縦ベルト部２１を、該環ベルト部２２の径方向（換言すれば、上記ズボン体３の前後方向）に略対向する二位置に交差配置し、この交差部分を縫合固着することで一体化され、一つの下肢側ベルト体２を構成している。なお、この場合、上記縦ベルト部２１は、上側の環ベルト部２２よりも上方へ延出しており、その上端部２１ａは、上記上体側ベルト体１側の上記掛止部材１７に対する掛止部とされる。
【００２５】  上記の如く構成された二つの下肢側ベルト体２は、図２及び図３示すように、ズボン体３の内部に配置され、且つその二つの環ベルト部２２はそれぞれ該ズボン体３の大腿部３ｃの内面の略全周に縫合固着される。また、上記縦ベルト部２１は、上記ズボン体３の太腿部３ｃから臀部３ｂを経て腰部３ａにかけての内面に縫合固着されるとともに、その上端部２１ａは該腰部３ａから若干上方へ延出されている。
【００２６】  このように、上記下肢側ベルト体２を上記ズボン体３の内面側に縫合固着した結果、該下肢側ベルト体２は上記ズボン体３と一体化されるとともに、該下肢側ベルト体２は上記ズボン体３の外部には露出せず、該ズボン体３の外表面は本来の生地面のまま保持される。
【００２７】  なお、この実施形態では、上記ズボン体３を通常の作業用ズボンと想定し、そのように図示しているが、本願発明においては係る構成に限定されるものではなく、例えば、通常の作業用ズボンの上から重ねて履ける短パン状あるいは通常丈のズボン体３であっても良く、本願発明の実施上何ら問題は生じない。
【００２８】  Ｃ：安全帯Ｚの使用方法等
上記安全帯Ｚを使用する場合は、先ず、上記上体側ベルト体１を上体に装着する。しかる後、上記ズボン体３に足を通して履くことで、該ズボン体３と一体化された上記下肢側ベルト体２が下肢側に装着される。そして、上記下肢側ベルト体２の各縦ベルト部２１の上端部２１ａを、上記上体側ベルト体１側の各連結ベルト部１６に、上記掛止部材１７を介して連結する。以上で、上記安全帯Ｚの装着が完了する。
【００２９】  なお、上記ズボン体３を履いて上記下肢側ベルト体２を装着する場合、既に履いているズボンを脱ぐことなく、該ズボンの上からさらに重ねて上記ズボン体３を履く方法と、既に履いているズボンを脱いで素足状態のまま上記ズボン体３を履く方法が想定されるが、これら何れの方法であっても、上記ズボン体３を介して上記下肢側ベルト体２を装着する、ということには変わりはなく、何れの方法も採用し得るものである。
【００３０】  このように、このハーネス型安全帯Ｚにおいては、上記ズボン体３を履くことで、その内面側に固着保持された上記下肢側ベルト体２が自動的に下肢側に装着され、例えば、従来の一体式の安全帯のように、装着に際してベルト部分の取り回し等を確認しながら装着する必要は無く、安全帯の装着作業が格段に簡素化され、延いては安全帯Ｚを装着して行われる作業の効率化が促進される。
【００３１】  また、この安全帯Ｚにおいては、上記下肢側ベルト体２は、人体の大腿部分に掛け回されており、該安全帯Ｚに不測の荷重が掛かった場合にはその多くを大腿部分で支持することから、例えば、股間部分に掛け回されたベルト部材を介して股間部分で荷重を支持するような場合に比して、人体に対する負担が少なく、延いては安全帯Ｚの使用上の安全性が向上することになる。
【００３２】  さらに、実際の作業においては、安全帯Ｚを装着した状態で身体を移動させて作業を行うが、その場合、上記安全帯Ｚが身体外面側に露出していると、これが周辺機器に引っ掛かって作業が阻害されることも懸念されるが、この実施形態の安全帯Ｚにおいては上記下肢側ベルト体２が上記ズボン体３の内部側に配置され、外部へは露出しないことから、該下肢側ベルト体２が周辺機器に引っ掛かることがなく、その分だけ、該安全帯Ｚを装着した状態での作業における安全性が向上することになる。
【００３３】  Ｄ：その他
上記実施形態においては、図２に示すように、上記下肢側ベルト体２を上下２本の環ベルト部２２と、上下方向に延出する縦ベルト部２１で構成したが、本願発明は係る構成に限定されるものではなく、例えば、上記環ベルト部２２を、図４に示すように、幅広の一つのベルト体で構成することもできる。係る構成とした場合には、該環ベルト部２２の表面積（即ち、荷重支持面）が拡大されることから、例えば、安全帯Ｚに不測の荷重が掛かってその一部を上記下肢側ベルト体２側で支持する場合、該荷重は上記環ベルト部２２の広い範囲で分散支持されることになり、その結果、人体に対する負担が軽減される。
【産業上の利用可能性】
【００３４】  本願発明に係るハーネス型安全帯は、高所作業における落下防止対策として広く利用されるものである。
【符号の説明】
【００３５】    １  ・・上体側ベルト体
２  ・・下肢側ベルト体
３  ・・ズボン体
１０  ・・ベルト材
１１  ・・肩ベルト部
１２  ・・背ベルト部
１３  ・・胴ベルト部
１４  ・・旨ベルト部
１５  ・・縫合固着部
１６  ・・連結ベルト部
１７  ・・掛止部材
１８  ・・拘引ベルト部
１９  ・・拘引ベルト部
２１  ・・縦ベルト部
２２  ・・環ベルト部
３１  ・・連結具
３２  ・・掛止リング
Ｚ  ・・ハーネス型安全帯
【図１】
2018175800.tif 000003
【図２】
2018175800.tif 000004
【図３】
2018175800.tif 000005
【図４】
2018175800.tif 000006